(57)【要約】【課題】１枚の導光板でその上下面側を良好に照明できる。【解決手段】発光素子２３の光を導光板２４で面方向に導いて導光板２４を面発光させる照明する照明装置６において、導光板２４が、発光素子２３の光を面方向に導いて上面側に向けて放射する上側照明部２６と、発光素子２３の光を面方向に導いて下面側に向けて放射する下側照明部２７とを備え、文字板１３および指針を導光板２４の上面側に配置し、液晶表示素子１０を導光板２４の下面側に下側照明部２７と対応させて配置した。従って、発光素子２３の光が導光板２４の上側照明部２６に導かれると、上側照明部２６の上面全体から光を放射して導光板２４の上面側を照明し、また下側照明部２７に発光素子２３の光が導かれると、下側照明部２７の下面全体から光を放射して導光板２４の下面側を照明する。このため、１枚の導光板２４で、その上下面側を面発光により良好に照明できる。【選択図】        図５
2004199874.tif 000002
【特許請求の範囲】
【請求項１】
光源からの光を導光板の側面から入射し、この入射した光を前記導光板で面方向に導いて前記導光板を面発光させることにより、表示部材を照明する照明装置において、
前記導光板は、前記光源からの光を面方向に導くと共に前記導光板の上面側に向けて放射する上側照明部と、前記光源からの光を面方向に導くと共に前記導光板の下面側に向けて放射する下側照明部とを備え、
前記表示部材は、前記導光板の上面側と下面側とにそれぞれ配置されていることを特徴とする照明装置。
【請求項２】
前記上側照明部は、前記導光板の上下面の一方に凹凸部を形成し、この凹凸部によって前記導光板で導かれた光を前記導光板の上面側に向けて乱反射する構造であることを特徴とする請求項１に記載の照明装置。
【請求項３】
前記上側照明部は、前記導光板の下面にライン状のプリズムを多数形成し、これらライン状のプリズムの各反射面によって前記導光板で導かれた光を前記導光板の上面側に向けて反射する構造であることを特徴とする請求項１に記載の照明装置。
【請求項４】
前記上側照明部の下面には反射板が配置されていることを特徴とする請求項２または３に記載の照明装置。
【請求項５】
前記下側照明部は、前記導光板の上面にライン状のプリズムを多数形成し、これらライン状のプリズムの各反射面によって前記導光板で導かれた光を前記導光板の下面側に向けて反射する構造であることを特徴とする請求項１に記載の照明装置。
【請求項６】
前記下側照明部の前記ライン状の各プリズムは、前記光源とこれに対向する前記導光板の対角部とを結ぶ直線に対しほぼ直交して設けられていることを特徴とする請求項５に記載の照明装置。
【請求項７】
前記下側照明部側に位置する前記導光板の側面には、前記導光板内を面方向に導かれて前記導光板の端面に到達した光を前記下側照明部内に向けて反射する側面反射部が設けられていることを特徴とする請求項６に記載の照明装置。
【請求項８】
前記下側照明部の前記ライン状の各プリズムは、前記光源とこれに対向する前記導光板の対角部とを結ぶ直線に対しほぼ平行に設けられ、前記下側照明部側に位置する前記導光板の側面には、前記下側照明部内を面方向に導かれて前記導光板の端面に到達した光を前記下側照明部内に向けて反射する側面反射部が設けられていることを特徴とする請求項５に記載の照明装置。
【請求項９】
前記下側照明部は、第１照明領域と第２照明領域とを備え、
前記第１照明領域が、前記光源とこれに対向する前記導光板の対角部とを結ぶ直線に対しほぼ平行に設けられた第１プリズムと、前記下側照明部内を面方向に導かれて前記導光板の端面に到達した光を前記下側照明部内に向けて反射する第１側面反射部とを有し、
前記第２照明領域が、前記光源とこれに対向する前記導光板の対角部とを結ぶ直線に対しほぼ平行に設けられた第２プリズムと、前記下側照明部内を面方向に導かれて前記導光板の端面に到達した光を前記下側照明部内に向けて反射する第２側面反射部とを有している
ことを特徴とする請求項５に記載の照明装置。
【請求項１０】
前記光源は、前記上側照明部側に位置する前記導光板の外周部の所定個所に配置された第１発光素子と、前記下側照明部側に位置する前記導光板の外周部の所定個所に配置された第２発光素子とを備え、前記第１、第２発光素子がそれぞれ異なる色の光を発光することを特徴する請求項１に記載の照明装置。
【請求項１１】
前記下側照明部は、前記第１発光素子からの光を前記導光板の下面側に向けて放射する第１照明領域と、前記第２発光素子からの光を前記導光板の下面側に向けて放射する第２照明領域とを備えていることを特徴する請求項１０に記載の照明装置。
【請求項１２】
前記光源は、前記上側照明部側に位置する前記導光板の外周側の所定個所に配置された第１発光素子と、前記下側照明部側に位置する前記導光板の外周側の所定個所に配置された第２発光素子とを備え、前記第１、第２発光素子の一方が可視光線領域の光を発光し、他方が紫外線領域の光を発光する構成であり、前記表示部材には、紫外線領域の光に反応して可視光線領域の光を発光する発光部が設けられていることを特徴する請求項１に記載の照明装置。
【請求項１３】
前記表示部材は、前記導光板の上面側に配置された第１表示部材と、前記導光板の下面側に少なくとも前記下側照明部と対応して配置された第２表示部材とを備えていることを特徴とする請求項１に記載の照明装置。
【請求項１４】
前記表示部材の前記第１表示部材は、光透過性を有する文字板の上方を指針が運針する指針式表示部であり、前記第２表示部材は、電気光学的に情報を表示する平面表示部であることを特徴とする請求項１３に記載の照明装置。
【請求項１５】
前記導光板の下面にはソーラーパネルが配置され、このソーラーパネルには開口部が前記平面表示部に対応して設けられていることを特徴する請求項１４に記載の照明装置。
【請求項１６】
前記第１表示部材は電気光学的に情報を表示する透過型の第１表示素子であり、前記第２表示部材は電気光学的に情報を表示する反射型の第２表示素子であることを特徴する請求項１３に記載の照明装置。
【請求項１７】
請求項１〜１６のいずれかに記載の照明装置を収納する機器ケースを備え、この機器ケースには窓部が前記照明装置の前記表示部材に対応して設けられていることを特徴する電子機器。
【発明の詳細な説明】
【０００１】
【発明の属する技術分野】
この発明は、腕時計、携帯電話機、自動車の計器類などの各種の機器に適用して有用な照明装置およびそれを用いた電子機器に関する。
【０００２】
【従来の技術】
例えば、腕時計においては、文字板の上方を指針が運針するアナログ表示機能と、液晶表示素子などの表示素子で時刻などの情報を電気光学的に表示するデジタル表示機能とを備え、１つの照明装置でアナログ表示機能とデジタル表示機能との両方を照明するようしたものがある（例えば、特許文献１参照。）。
【０００３】
【特許文献１】
特開２００２−２８６８６９（Ｐ２００２−２８６８６９Ａ）
【０００４】
この種の腕時計は、透明または半透明の文字板の下側に発光ダイオードの光を側面から採り込んで面方向に導く導光板が配置され、この導光板の表示用切欠部の下側に液晶表示素子が文字板の表示窓部に対応して配置され、この状態で発光ダイオードを発光させると、その光が導光板に採り込まれて面方向に導かれ、この導かれた光が導光板の上面から放射されると共に、導光板の表示用切欠部の端面からも放射され、これにより文字板を通してその上方を照明すると共に、液晶表示素子をその周囲から照明するように構成されている。
【０００５】
【発明が解決しようとする課題】
しかしながら、このような腕時計では、導光板で導かれた光が導光板の上面から放射されるので、上面側を均一に照明することはできても、導光板の表示用切欠部では面発光させることができず、導光板で導かれた光を導光板の表示用切欠部の端面から放射して液晶表示素子の周囲から照射するため、液晶表示素子の上面全体を良好に照明することができないという問題がある。
【０００６】
この発明の課題は、１枚の導光板の面発光によりその上下面側を良好に照明できるようにすることである。
【０００７】
【課題を解決するための手段】
この発明は、上記課題を解決するために、次のような構成要素を備えている。なお、各構成要素には、後述する各実施形態の項で説明される各要素に付されている図面の参照番号などを括弧と共に付す。
請求項１に記載の発明は、図１〜図３８に示すように、光源からの光を導光板の側面から入射し、この入射した光を前記導光板で面方向に導いて前記導光板を面発光させることにより、表示部材を照明する照明装置において、前記導光板（２４）は、前記光源（発光素子２３、第１発光素子５０、６２、第２発光素子５１、６３）からの光を面方向に導くと共に前記導光板の上面側に向けて放射する上側照明部（２６）と、前記光源からの光を面方向に導くと共に前記導光板の下面側に向けて放射する下側照明部（２７、３５、４０、５３、６１）とを備え、前記表示部材（文字板１３、６０、指針１５、液晶表示素子１０、第１液晶表示素子８０、第２液晶表示素子８１）は、前記導光板の上面側と下面側とにそれぞれ配置されていることを特徴とする照明装置（６）である。
【０００８】
この発明によれば、光源からの光が導光板内に入射すると、この入射した光が導光板で面方向に導かれると共に、この導光板の上側照明部に導かれた光が上側照明部で導光板の上面側に向けて放射されるので、上側照明部全体から光を放射して導光板の上面側を面発光により照明することができ、また導光板の下側照明部に導かれた光は導光板の下側照明部で導光板の下面側に向けて放射されるので、下側照明部全体から光を放射して導光板の下面側を面発光により照明することができ、これにより１枚の導光板でその上下面側に配置された表示部材を良好に照明することができる。
【０００９】
請求項２に記載の発明は、図１〜図３８に示すように、前記上側照明部（２６）が、前記導光板（２４）の上下面の一方に凹凸部（２８）を形成し、この凹凸部によって前記導光板で導かれた光を前記導光板の上面側に向けて乱反射する構造であることを特徴とする請求項１に記載の照明装置である。
この発明によれば、光源からの光が導光板内に入射して導光板の上側照明部に導かれると、この導かれた光が上側照明部の凹凸部で乱反射されて面発光し、この面発光した光が導光板の上面側に向けて放射されるので、導光板の上面側を良好に照明することができる。
【００１０】
請求項３に記載の発明は、図１２および図１３に示すように、前記上側照明部（２６）が、前記導光板（２４）の下面にライン状のプリズム（３２）を多数形成し、これらライン状のプリズムの各反射面（３２ａ）によって前記導光板で導かれた光を前記導光板の上面側に向けて反射する構造であることを特徴とする請求項１に記載の照明装置である。
この発明によれば、光源からの光が導光板内に入射して導光板の上側照明部に導かれると、この導かれた光が上側照明部に多数形成されたプリズムの各反射面で導光板の上面側に向けて反射されて面発光し、この面発光した光が導光板の上面側に向けて放射されるので、導光板の上面側を良好に照明することができる。
【００１１】
請求項４に記載の発明は、図１〜図３８に示すように、前記上側照明部（２６）の下面に反射板（２５）が配置されていることを特徴とする請求項２または３に記載の照明装置である。
この発明によれば、上側照明部で光が導光板の下面側に漏れても、その漏れた光を反射板で導光板の上面側に向けて反射することができ、これにより上側照明部で光が下面側に漏れるのを防いで効率良く導光板の上面側に放射させることができる。
【００１２】
請求項５に記載の発明は、図１〜図３８に示すように、前記下側照明部（２７、３５、４０、５３、６１）が、前記導光板（２４）の上面にライン状のプリズム（２９、３１、３６、５４、６７、６８、第１、第２プリズム４３、４５）を多数形成し、これらライン状のプリズムの各反射面（２９ａ、３１ａ、３６ａ、４３ａ、４５ａ、５４ａ、６７ａ、６８ａ）によって、前記導光板で導かれた光を前記導光板の下面側に向けて反射する構造であることを特徴とする請求項１に記載の照明装置である。
この発明によれば、光源からの光が導光板内に入射して導光板の下側照明部に導かれると、この導かれた光が下側照明部のプリズムの各反射面で導光板の下面側に向けて反射されて下側照明部が面発光し、この面発光した光が導光板の下面側に放射されるので、導光板の下面側を良好に照明することができる。
【００１３】
請求項６に記載の発明は、図１〜図１３、図３０〜図３８に示すように、前記下側照明部（２７）の前記ライン状の各プリズム（２９）が、前記光源（発光素子２３）とこれに対向する前記導光板（２４）の対角部とを結ぶ直線に対しほぼ直交して設けられていることを特徴とする請求項５に記載の照明装置である。
この発明によれば、光源からの光が導光板に入射して導光板の下側照明部に導かれると、この導かれた光がプリズムの反射面で導光板の下面側に向けて反射されて下側照明部が面発光し、この面発光した光が導光板の下面側に放射されるので、導光板の下面側を良好に照明することができる。
【００１４】
請求項７に記載の発明は、図７および図８に示すように、前記下側照明部（２７）側に位置する前記導光板（２４）の側面に、前記導光板内を面方向に導かれて前記導光板の端面に到達した光を前記下側照明部内に向けて反射する側面反射部（３０）が設けられていることを特徴とする請求項６に記載の照明装置である。
この発明によれば、請求項６に記載の発明と同様、光源からの光が導光板の下側照明部に導かれると共に、この導かれた光が導光板の下側照明部を面方向に導かれて導光板の端面に到達すると、この到達した光が導光板の側面に設けられた側面反射部で下側照明部内に向けて反射され、この反射光が下側照明部で導光板の下面側に向けて反射され、これにより下側照明部が面発光し、その光が導光板の下面側に放射されるので、導光板の下面側を良好に照明することができる。
【００１５】
請求項８に記載の発明は、図１４〜図２５に示すように、前記下側照明部（３５、４０、５３）の前記ライン状の各プリズム（３６、５４、第１、第２プリズム４３、４５）が、前記光源（発光素子２３、第１発光素子５０、第２発光素子５１）とこれに対向する前記導光板（２４）の対角部とを結ぶ直線に対しほぼ平行に設けられ、前記下側照明部側に位置する前記導光板の側面には、前記下側照明部内を面方向に導かれて前記導光板の端面に到達した光を前記下側照明部内に向けて反射する側面反射部（側面反射部３７、５２、第１、第２側面反射部４４、４６）が設けられていることを特徴とする請求項５に記載の照明装置である。
【００１６】
この発明によれば、光源からの光が導光板に入射して導光板の下側照明部に導かれても、プリズムが光源とこれに対向する導光板の対角部とを結ぶ直線に対しほぼ平行に設けられているため、プリズムの反射面で光が下面側に向けて反射されず、そのまま面方向に導かれ、この導かれた光が導光板の側面に設けられた側面反射部で下側照明部内に向けて反射され、この反射された光が再び下側照明部に導かれると、この導かれた反射光が下側照明部のプリズムの反射面で導光板の下面側に向けて反射され、これにより下側照明部が面発光し、その光が導光板の下面側に放射されるので、導光板の下面側を良好に照明することができる。
【００１７】
請求項９に記載の発明は、図１９および図２２に示すように、前記下側照明部（４０）が第１照明領域（４１）と第２照明領域（４２）とを備え、前記第１照明領域が、前記光源（発光素子２３）とこれに対向する前記導光板（２４）の対角部とを結ぶ直線に対しほぼ平行に設けられた第１プリズム（４３）と、前記下側照明部内を面方向に導かれて前記導光板の端面に到達した光を前記下側照明部内に向けて反射する第１側面反射部（４４）とを有し、前記第２照明領域が、前記光源とこれに対向する前記導光板の対角部とを結ぶ直線に対しほぼ平行に設けられた第２プリズム（４５）と、前記下側照明部内を面方向に導かれて前記導光板の端面に到達した光を前記下側照明部内に向けて反射する第２側面反射部（４６）とを有していることを特徴とする請求項５に記載の照明装置である。
【００１８】
この発明によれば、光源からの光が導光板に入射して導光板の下側照明部に導かれても、第１、第２プリズムの各反射面で光が導光板の下面側に向けて反射されず、そのまま面方向に導かれ、この導かれた光が導光板の側面に設けられた第１、第２側面反射部で下側照明部内に向けて反射されると、第１側面反射部で反射された光が第１プリズムの反射面で導光板の下面側に向けて反射されると共に、第２側面反射部で反射された光が第２プリズムの反射面で導光板の下面側に向けて反射され、これにより第１、第２照明領域がそれぞれ面発光するので、光源からの光を効率良く導光板の下面側に放射することができ、このため請求項８に記載の発明よりも、導光板の下面側を明るく照明することができる。
【００１９】
請求項１０に記載の発明は、図２６〜図２９に示すように、前記光源が、前記上側照明部（２６）側に位置する前記導光板（２４）の外周部の所定個所に配置された第１発光素子（６２）と、前記下側照明部（６１）側に位置する前記導光板の外周部の所定個所に配置された第２発光素子（６３）とを備え、前記第１、第２発光素子がそれぞれ異なる色の光を発光することを特徴する請求項１に記載の照明装置である。
この発明によれば、第１発光素子を発光させると、その特定色の光によって導光板の上下面側を照明することができ、また第２発光素子を発光させると、第１発光素子と異なる色の光で導光板の上下面側を照明することができ、さらに第１、第２発光素子の両方を同時に発光させると、その両方の混合色の光で導光板の上下面側を照明することができ、これにより色彩性および装飾性に優れたものを得ることができる。
【００２０】
請求項１１に記載の発明は、図２６〜図２９に示すように、前記下側照明部（６１）が、前記第１発光素子（６２）からの光を前記導光板（２４）の下面側に向けて放射する第１照明領域（６５）と、前記第２発光素子（６３）からの光を前記導光板の下面側に向けて放射する第２照明領域（６６）とを備えていることを特徴する請求項１０に記載の照明装置である。
この発明によれば、請求項１０に記載の発明と同様、第１発光素子を発光させると、その特定色の光が上側照明部で導光板の上面側に向けて放射されると共に、下側照明部の第１照明領域で導光板の下面側に向けて放射されるので、導光板の上下面側を照明することができ、また第２発光素子を発光させると、第１発光素子と異なる特定色の光が上側照明部で導光板の上面側に向けて放射されると共に、下側照明部の第２照明領域で導光板の下面側に向けて放射されるので、導光板の上下面側を照明することができるほか、特に第１、第２発光素子を同時に発光させても、第１、第２照明領域ごとに異なる色の光で導光板の下面側を照明することができ、このため、より一層、色彩性および装飾性の高いものを得ることができる。
【００２１】
請求項１２に記載の発明は、図２３〜図２５に示すように、前記光源が、前記上側照明部（２６）側に位置する前記導光板（２４）の外周側の所定個所に配置された第１発光素子（５０）と、前記下側照明部（５３）側に位置する前記導光板の外周側の所定個所に配置された第２発光素子（５１）とを備え、前記第１、第２発光素子の一方（例えば第１発光素子５０）が可視光線領域の光を発光し、他方（例えば第２発光素子５１）が紫外線領域の光を発光する構成であり、前記表示部材（文字板１３の時字１３ｂ、および指針１５）には、紫外線領域の光に反応して可視光線領域の光を発光する発光部（５５）が設けられていることを特徴する請求項１に記載の照明装置である。
【００２２】
この発明によれば、第１、第２発光素子の一方、例えば第１発光素子を発光させると、人間の目に見える可視光線領域の光を発光し、この可視光線領域の光によって導光板の上下面側を照明することができ、これにより表示部材を視認することができ、また第１、第２発光素子の他方、例えば第２発光素子を発光させると、人間の目に見えない紫外線領域の光を発光し、この紫外線領域の光が導光板の上下面側に放射され、この放射された紫外線領域の光が表示部材に照射されると、この照射された紫外線領域の光に表示部材の発光部が反応して可視光線領域の光を発光するので、この発光部で発光した可視光線領域の光によって表示部材を視認することができ、これによっても装飾性に優れたものを得ることができる。
【００２３】
請求項１３に記載の発明は、図１〜図３８に示すように、前記表示部材が、前記導光板（２４）の上面側に配置された第１表示部材（文字板１３と指針１５、または第１液晶表示素子８０）と、前記導光板の下面側に少なくとも前記下側照明部（２７、３５、４０、５３、６１）と対応して配置された第２表示部材（液晶表示素子１０、第２液晶表示素子８１、文字板６０）とを備えていることを特徴とする請求項１に記載の照明装置である。
この発明によれば、導光板の上面側に配置された第１表示部材が導光板の上側照明部によって照明されると共に、導光板の下面側に配置された第２表示部材が導光板の下側照明部によって照明されるので、導光板の上下両面側に第１、第２表示部材を配置しても、良好に視認することができる。
【００２４】
請求項１４に記載の発明は、図１〜図２５、図３０〜図３２に示すように、前記表示部材の前記第１表示部材が、光透過性を有する文字板（１３）の上方を指針（１５）が運針する指針式表示部であり、前記第２表示部材が、電気光学的に情報を表示する平面表示部（液晶表示素子１０）であることを特徴とする請求項１３に記載の照明装置である。
この発明によれば、導光板の上方に配置された指針式表示部の文字板が光透過性を有するので、この文字板を通して指針式表示部が導光板の上側照明部によって下面側から照明されるので、文字板および指針によって時刻を知ることができると共に、導光板の下面側に下側照明部と対応して配置された平面表示部が導光板の下側照明部によって上面側から照明されるので、平面表示部の下面側にバックライト装置を設けなくても、平面表示部に表示された情報を視認することができる。
【００２５】
請求項１５に記載の発明は、図３０〜図３２に示すように、前記導光板（２４）の下面にソーラーパネル（７５）が配置され、このソーラーパネルには開口部（７６）が前記平面表示部（液晶表示素子１０）に対応して設けられていることを特徴する請求項１４に記載の照明装置である。
この発明によれば、請求項１４に記載の発明と同様、導光板の上方に配置された指針式表示部を導光板の上側照明部によって照明することができると共に、導光板の下面側に配置された平面表示部をソーラーパネルの開口部を通して導光板の下側照明部によって照明することができるほか、特に明るい所では外部光が導光板を透過してソーラーパネルに照射されるので、ソーラーパネルによって発電することができる。
【００２６】
請求項１６に記載の発明は、図３３〜図３８に示すように、前記第１表示部材が電気光学的に情報を表示する透過型の第１表示素子（第１液晶表示素子８０）であり、前記第２表示部材が電気光学的に情報を表示する反射型の第２表示素子（第２液晶表示素子８１）であることを特徴する請求項１３に記載の照明装置である。
この発明によれば、導光板の上側照明部の面発光によって導光板の上側に位置する透過型の第１表示素子を下面側から照明することができ、また導光板の下側照明部の面発光によって導光板の下側に位置する反射型の第２表示素子を上面側から照明することができ、これにより第１表示素子に表示された情報を鮮明に見ることができると共に、第２表示素子に表示された情報を透過型の第１表示素子を透して見ることができる。
【００２７】
請求項１７に記載の発明は、図１〜図３８に示すように、請求項１〜１６のいずれかに記載の照明装置（６）を収納する機器ケース（腕時計ケース１、機器ケース９０）を備え、この機器ケースには窓部（時計ガラス２、保護ガラス９１）が前記照明装置の前記表示部材（文字板１３、６０、指針１５、液晶表示素子１０、第１液晶表示素子８０、第２液晶表示素子８１）に対応して設けられていることを特徴する電子機器である。
この発明によれば、請求項１に記載の発明と同様、照明装置によって導光板の上下面側を照明することができるので、導光板の上下面側に配置された表示部材を良好に照明することができると共に、窓部を通して導光板の上下面側に配置された表示部材を機器ケースの外部から視認することができる。
【００２８】
【発明の実施の形態】
［第１実施形態］
以下、図１〜図６を参照して、この発明を腕時計に適用した第１実施形態について説明する。
図１はこの発明の腕時計の正面図、図２はそのＡ−Ａ矢視における拡大断面図、図３はそのＢ−Ｂ矢視における拡大断面図である。この腕時計は、図１〜図３に示すように、腕時計ケース１を備えている。この腕時計ケース１は、金属製のケース本体１ａの外周面に合成樹脂製の第１、第２ベゼル１ｂ、１ｃを設けた構造になっている。この腕時計ケース１の上部には、時計ガラス２が装着されており、腕時計ケース１の内部には時計モジュール３が収納されている。また、この腕時計ケース１の下部には、裏蓋４が防水リング５を介して取り付けられている。
【００２９】
時計モジュール３は、アナログ機能とデジタル機能との両方を備えているほか、照明装置６をも備えた構成になっている。すなわち、この時計モジュール３は、図２に示すように、上部ハウジング７と下部ハウジング８とを備え、上部ハウジング７にアナログムーブメント９と液晶表示素子１０とが設けられ、上部ハウジング７と下部ハウジング８との間に回路基板１１が設けられた構成になっている。この場合、回路基板１１は、アナログムーブメント９、液晶表示素子１０、および照明装置６を電気的に駆動するための電子回路を構成する各種の電子部品（図示せず）が搭載されている。
【００３０】
アナログムーブメント９は、その指針軸１２が上部ハウジング７の上側に配置された後述する照明装置６の導光板２４および文字板１３の各貫通孔１４を通して上方に突出し、この突出した指針軸１２の上端部に時針、分針などの指針１５が取り付けられ、この指針１５が文字板１３の上方を運針するように構成されている。この場合、文字板１３は、透明または半透明の光透過性を有する材料で形成され、図２および図５に示すように、その所定個所に開口部１６が液晶表示素子１０に対応して設けられた構造になっている。この文字板１３および指針１５によって指針表示部が構成され、この指針表示部が第１表示部材に相当する構成になっている。
【００３１】
また、液晶表示素子１０は、図６に示すように、上下一対の透明な電極基板１７、１８間に液晶（図示せず）を封入し、上側の電極基板１７の上面および下側の電極基板１８の下面にそれぞれ偏光板１９、２０を設け、下側の偏光板１９、２０の下面に反射板２１を設けた反射型のものであり、図２に示すように、上側の電極基板１７の端部がインターコネクタ２２によって回路基板１１に電気的に接続された状態で支持され、この状態で上下一対の電極基板１７、１８間に選択的に電圧を印加することにより、時刻などの情報を電気光学的に表示するように構成されている。この液晶表示素子１０が第２表示部材に相当する構成なっている。
【００３２】
照明装置６は、図４および図５に示すように、光源である発光素子２３と、この発光素子２３で発光した光を側面から採り込んで面方向に導く導光板２４と、この導光板２４の下面に配置された反射板２５とを備えている。発光素子２３は、可視光線領域の光を発光する発光ダイオード（ＬＥＤ）などで構成され、図１および図２に示すように、１２時側に位置する導光板２４の側面に対応して配置され、そのリード線２３ａが回路基板１１に電気的に接続された構成になっている。導光板２４は、透明な材料で形成され、その厚み方向つまり上下方向に光を透過すると共に、発光素子２３からの光を側面から採り込んで面方向に導くものであり、図４および図５に示すように、発光素子２３からの光を導光板２４の上面側に向けて放射する上側照明部２６と、発光素子２３からの光を導光板２４の下面側に向けて放射する下側照明部２７とを備え、上部ハウジング７上の反射板２５と文字板１３との間に配置されている。
【００３３】
この場合、導光板２４の上側照明部２６は、図５に示すように、導光板２４の下面に微細な凹凸部２８が形成され、発光素子２３で発光した光が入射して導かれると、この凹凸部２８で乱反射させて導光板２４の上面から放射することにより、導光板２４の上面側を面発光させるように構成されている。また、下側照明部２７は、導光板２４で導かれた光を導光板２４の下面側に向けて反射する反射面２９ａを有するライン状のプリズム２９を多数配列形成させた構造になっている。この下側照明部２７の各プリズム２９は、発光素子２３とこれに対向する導光板２４の対角部とを結ぶ直線、つまり１２時と６時とを結ぶ直線に対しほぼ直交して設けられている。
【００３４】
また、これらプリズム２９の反射面２９ａは、発光素子２３側つまり１２時側に向いて設けられ、これにより１２時側から下側照明部２７に導かれた光を導光板２４の下面側に向けて反射して導光板２４の下面から放射させることにより、導光板２４の下面側を面発光させるように構成されている。この場合、プリズム２９は、その配列ピッチが発光素子２３側つまり１２時側から離れるに従って次第に狭くなり、これにより発光素子２３からの光を導光板２４の下面側に向けてほぼ均一に放射するように構成されていることが望ましい。
反射板２５は、液晶表示素子１０に対応する個所に開口部２５ａが文字板１３の開口部１６と対応して設けられ、この開口部２５ａに対応する個所を除いて、導光板２４の下面側に放射された光を導光板２４の上面側に向けて反射するように構成されている。
【００３５】
このような腕時計によれば、明るい所では外部光が時計ガラス２を通して腕時計ケース１内に入射し、この入射した外部光が指針１５および文字板１３に照射されるので、文字板１３および指針１５によって時刻を知ることができる。このときには、文字板１３が透明または半透明で光透過性を有するので、外部光が文字板１３およびその開口部１６を透過して照明装置６の導光板２４に上方から照射され、この照射された外部光が導光板２４を上面側から下面側に透過する。この透過した外部光のうち、導光板２４の下面に配置された反射板２５に照射された外部光は反射板２５で反射され、この反射された光が再び導光板２４および文字板１３を下面側から上面側に透過するので、これによっても文字板１３およびその上方の指針１５を照明することができる。
【００３６】
また、導光板２４を上面側から下面側に透過して反射板２５の開口部２５ａに照射された外部光は、その開口部２５ａをそのまま透過して液晶表示素子１０に照射されるので、液晶表示素子１０を照明することができ、これにより液晶表示素子１０に表示された時刻などの情報を視認することができる。すなわち、この液晶表示素子１０では、外部光が上側の偏光板１９、上下の電極基板１７、１８、および下側の偏光板２０を透過して反射板２１で反射され、この反射光が上記と逆の光路を経て再び反射板２５の開口部２５ａを通して導光板２４に下面側から照射され、この照射された光が導光板２４および文字板１３の開口部１６を下面側から上面側に透過して上方に放射されるので、時計ガラス２を通して液晶表示素子１０に表示された時刻などの情報を腕時計ケース１の外部から視認することができる。
【００３７】
また、暗い所で照明装置６の発光素子２３を発光させると、この発光素子２３の光が導光板２４に側面から入射し、この入射した光が導光板２４で面方向に導かれ、この導光板２４の上側照明部２６に導かれると、この導かれた光が上側照明部２６の凹凸部２８で乱反射されて導光板２４の上面側に放射されると共に、導光板２４の下面側に漏れた光が反射板２５によって上方に向けて反射されるので、導光板２４の上側照明部２６全体が面発光し、この面発光によって文字板１３を下面側から照明することができると共に、この面発光による光が文字板１３を透過するので、その上方を運針する指針１５をも照明することができ、これにより暗い所でも文字板１３および指針１５によって時刻を知ることができる。
【００３８】
また、暗い所で発光素子２３からの光が導光板２４の下側照明部２７に導かれると、この導かれた光が下側照明部２７の各プリズム２９の反射面２９ａで導光板２４の下面側に向けて反射されるので、導光板２４の下側照明部２７全体が面発光し、この面発光した光が下側照明部２７の下側の液晶表示素子１０の上面全体に照射されるので、液晶表示素子１０全体をほぼ均一に照明することができ、これにより暗い所でも液晶表示素子１０に表示された時刻などの情報を視認することができる。
【００３９】
このように、この腕時計によれば、暗い所で発光素子２３を発光させると、その光が導光板２４内に側面から入射して導光板２４で面方向に導かれると共に、導光板２４の上側照明部２６に導かれた光が上側照明部２６で導光板２４の上面側に向けて放射されるので、上側照明部２６が面発光して導光板２４の上面側を照明することができ、また導光板２４の下側照明部２７に導かれた光が下側照明部２７で導光板２４の下面側に向けて放射されるので、下側照明部２７が面発光して導光板２４の下面側を照明することができる。このため、１枚の導光板２４でその上下面側を照明することができ、導光板２４の上下面側に配置された第１表示部材である文字板１３と指針１５、および第２表示部材である液晶表示素子１０を良好に照明することができ、これにより明るい所でも暗い所でも時刻を知ることができる。
【００４０】
また、この腕時計によれば、１枚の導光板２４でその上下面側を照明することができるので、導光板２４の下側に液晶表示素子１０を配置しても、液晶表示素子１０の下面にＥＬ素子（エレクトロルミネッセンス素子）などの平面型のバックライト装置を用いる必要がないため、時計モジュール３全体の薄型化および省スペース化を図ることができ、腕時計全体の小型化および薄型化を図ることができる。また、導光板２４の下側照明部２７に液晶表示素子１０を接近させて配置することができるので、導光板２４の光の屈折によって液晶表示素子１０に表示された情報に輪郭滲みが生じるのを抑制することができ、これにより液晶表示素子１０に表示された情報を鮮明に視認することができる。
【００４１】
なお、上記第１実施形態では、発光素子２３で発光した光が導光板２４内を面方向に導かれ、この導かれた光を下側照明部２７のプリズム２９で導光板２４の下面側に向けて反射させて液晶表示素子１０を照明するように構成した場合について述べたが、これに限らず、例えば図７〜図９に示した第１変形例のように、導光板２４の下側照明部２７を構成しても良い。すなわち、この第１変形例の下側照明部２７は、導光板２４の上面にライン状のプリズム３１を発光素子２３とこれに対向する導光板２４の対角部とを結ぶ直線つまり１２時と６時とを結ぶ直線に対しほぼ直交して設けられ、これらプリズム３１の各反射面３１ａが１２時側に位置する発光素子２３と反対側つまり６時側に向いて設けられた構造になっている。また、この場合には、導光板２４の外周面における１２側の発光素子２３に対向する６時側の個所、例えば４時から６時を経て８時に到る個所の側面に側面反射部３０が設けられている。
【００４２】
このような構造では、発光素子２３からの光が下側照明部２７に導かれ、この導かれた光が下側照明部２７をそのまま面方向に導かれて導光板２４の端面に到達しても、導光板２４の側面に設けられた側面反射部３０で反射されて再び下側照明部２７に導入され、この導入された光がプリズム３１の各反射面３１ａで導光板２４の下面側に向けて反射されるので、導光板２４の下面側を照明することができ、これにより第１実施形態と同様、発光素子２３の光によって液晶表示素子１０を照明することができると共に、導光板２４の側面から光が漏れるのを防ぐことができ、発光素子２３からの光を効率良く利用して液晶表示素子１０を明るく照明することができる。
【００４３】
また、上記第１実施形態および上記第１変形例では、導光板２４の上側照明部２６が導光板２４の下面に微細な凹凸部２８を形成した構造になっているが、これに限らず、例えば図１０および図１１に示した第２変形例のように、導光板２４の上面に微細な凹凸部２８を形成した構造であっても良い。このような構造でも、発光素子２３で発光した光が導光板２４の上側照明部２６に導かれると、この上側照明部２６の凹凸部２８で乱反射され、この乱反射した光が導光板２４の上面側に放射されると共に導光板２４の下面側にも放射されるが、下面側に放射された光は、導光板２４の下面に配置された反射板２５で反射されて導光板２４の上面側に放射されるので、第１実施形態と同様、導光板２４の上面側を良好に照明することができる。
【００４４】
さらに、上記第１実施形態および上記第１、第２変形例では、導光板２４の上側照明部２６が導光板２４の下面または上面に凹凸部２８を形成した構造になっている場合について述べたが、これに限らず、例えば図１２および図１３に示した第３変形例のように構成しても良い。すなわち、この第３変形例の上側照明部２６は、図１３に示すように、導光板２４の下面にライン状のプリズム３２を多数配列形成した構造になっている。このプリズム３２は、発光素子２３とこれに対向する導光板２４の対角部とを結ぶ直線、つまり１２時と６時とを結ぶ直線に対しほぼ直交して設けられている。
【００４５】
この場合、プリズム３２の反射面３２ａは、発光素子２３側つまり１２時側に向いて設けられ、これにより１２時側から導光板２４内に入射した光を導光板２４の上面側に向けて反射するように構成されている。また、このプリズム３２も、その配列ピッチが発光素子２３側つまり１２時側から離れるに従って次第に狭くなるように形成されていることが望ましい。
このような構造でも、発光素子２３で発光した光が導光板２４の上側照明部２６に導かれると、この上側照明部２６のプリズム３２の反射面３２ａで導光板２４の上面側に向けて反射されて上側照明部２６が面発光し、この面発光した光が導光板２４の上面から放射されるので、第１実施形態と同様、導光板２４の上面側を良好に照明することができる。
【００４６】
［第２実施形態］
次に、図１４〜図１８を参照して、この発明を腕時計に適用した第２実施形態について説明する。なお、図１〜図６に示された第１実施形態と同一部分には同一符号を付して説明する。
この腕時計は、照明装置６の導光板２４に設けられた下側照明部３５の構造が第１実施形態と異なる構造で、これ以外は第１実施形態とほぼ同じ構造になっている。すなわち、この下側照明部３５は、図１４に示すように、ライン状のプリズム３６が発光素子２３とこれに対向する導光板２４の対角部とを結ぶ直線、つまり１２時と６時とを結ぶ直線に対しほぼ平行に設けられた構造になっている。
【００４７】
この場合、プリズム３６の反射面３６ａは、１２時と６時とを結ぶ直線に対しほぼ直交する方向、つまり３時側と９時側とのいずれか一方、この第２実施形態では９時側に向けて設けられ、これにより９時側から下側照明部３５内に放射された光を導光板２４の下面側に向けて反射するように構成されている。また、このプリズム３６は、その配列ピッチが後述する側面反射部３７側つまり９時側から離れるに従って次第に狭くなるように形成されていることが望ましい。また、この下側照明部３５は、発光素子２３から導光板２４に入射して面方向に導かれる光がプリズム３６の反射面３６ａでほとんど反射されずに、そのまま面方向に導かれる。このため、導光板２４の側面のうち、６時から９時の間に位置する導光板２４の側面には、導光板２４内を面方向に導かれて導光板２４の端面に到達した光を導光板２４の下側照明部３５に向けて反射する側面反射部３７が設けられている。
【００４８】
このような腕時計によれば、第１実施形態と同様、明るい所では外部光によって文字板１３および指針１５が照明されるので、文字板１３および指針１５によって時刻を知ることができると共に、文字板１３に照射された外部光が文字板１３および導光板２４を上面側から下面側に透過し、この透過した外部光が反射板２５で反射されるほか、反射板２５の開口部２５ａを透過して液晶表示素子１０に照射されるので、第１実施形態と同様、液晶表示素子１０に表示された時刻などの情報を視認することができる。
【００４９】
また、暗い所で発光素子２３を発光させると、この発光素子２３の光が導光板２４に側面から入射し、この入射した光が導光板２４で面方向に導かれ、導光板２４の上側照明部２６に導かれた光が、第１実施形態と同様、上側照明部２６の凹凸部２８で乱反射されて面発光し、この面発光した光が導光板２４の上面側に向けて放射されるので、文字板１３およびその上方の指針１５を照明することができる。また、導光板２４の下側照明部３５に導かれた光は、下側照明部３５の各プリズム３６の反射面３６ａで反射されず、そのまま下側照明部３５を面方向に導かれる。
【００５０】
すなわち、下側照明部３５の各プリズム３６が、発光素子２３とこれに対向する導光板２４の対角部とを結ぶ直線、つまり１２時と６時とを結ぶ直線に対しほぼ平行に設けられているので、下側照明部３５に導かれた光はプリズム３６の反射面３６ａでほとんど反射されずに、下側照明部３５をそのまま面方向に導かれる。この導かれた光のうち、導光板２４の６時から９時の間に位置する側面に設けられた側面反射部３７で反射された光が、再び下側照明部３５に導入されると、この導入された光が下側照明部３５の各プリズム３６の反射面３６ａで導光板２４の下面側に向けて反射されて面発光し、この面発光した光が液晶表示素子１０に照射されるので、上記と同様、暗い所でも液晶表示素子１０に表示された時刻などの情報を視認することができる。
【００５１】
この場合には、発光素子２３から下側照明部３５に導かれた光が下側照明部３５をそのまま面方向に導かれるため、図１８に示すような輝線スペクトル３８は発生しない。すなわち、第１実施形態のように、下側照明部２７の各プリズム２９が発光素子２３とこれに対向する導光板２４の対角部とを結ぶ直線つまり１２時と６時とを結ぶ直線に対しほぼ直交して設けられていると、図１８に示すように、発光素子２３からの光が下側照明部２７に導かれて各プリズム２９の反射面２９ａで反射されるので、この反射した部分がその光の進行方向から見たときに、点線状に並んで輝線スペクトル３８として見る。しかし、この第２実施形態では、発光素子２３から下側照明部３５に入射して面方向に導かれた光が下側照明部３５のプリズム３６の反射面３６ａで反射されずに、そのまま面方向に導かれるため、輝線スペクトル３３は発生しない。
【００５２】
このように、この腕時計によれば、暗い所で発光素子２３を発光させると、その光が導光板２４の上側照明部２６に導かれて導光板２４の上面側に向けて反射されるので、上側照明部２６が面発光して導光板２４の上面側を照明することができると共に、導光板２４の下側照明部３５に導かれて側面反射部３７で反射された光が下側照明部３５で導光板２４の下方に向けて反射されるので、下側照明部３５が面発光して導光板２４の下面側を照明することができ、これにより第１実施形態と同様、１枚の導光板２４でその上下面側を良好に照明することができる。このため、導光板２４の上下面側に配置された第１表示部材である文字板１３と指針１５、および第２表示部材である液晶表示素子１０を良好に照明することができ、明るい所でも暗い所でも時刻を知ることができるほか、時計モジュール３の薄型化および省スペース化を図ることができると共に、導光板２４の光の屈折によって液晶表示素子１０に表示された情報の輪郭滲みを抑制でき、液晶表示素子１０の情報を鮮明に視認できる。
【００５３】
［第３実施形態］
次に、図１９〜図２２を参照して、この発明を腕時計に適用した第３実施形態について説明する。なお、図１４〜図１８に示された第２実施形態と同一部分には同一符号を付して説明する。
この腕時計は、照明装置６の導光板２４に設けられた下側照明部４０の構造が第２実施形態と異なる構造で、これ以外は第２実施形態とほぼ同じ構造になっている。すなわち、この下側照明部４０は、発光素子２３とこれに対向する導光板２４の対角部とを結ぶ直線つまり１２時と６時とを結ぶ直線を境界にして、９時側の第１照明領域４１と３時側の第２照明領域４２とに分割された構造になっている。
【００５４】
第１照明領域４１は、図２２に示すように、第１プリズム４３および第１側面反射部４４を備え、９時側に設けられている。この第１プリズム４３は、第２実施形態と同様、発光素子２３とこれに対向する導光板２４の対角部とを結ぶ直線、つまり１２時と６時とを結ぶ直線に対しほぼ平行に設けられ、その反射面４３ａが９時側に向いて設けられ、これにより９時側から下側照明部４０に導入された光を導光板２４の下面側に向けて反射するように構成されている。この場合にも、第１プリズム４３は、その配列ピッチが第１側面反射部４４側つまり９時側から離れるに従って次第に狭くなるように形成されていることが望ましい。また、第１側面反射部４４は、第２実施形態と同様、導光板２４の側面のうち、６時から９時の間に位置する導光板２４の側面に設けられ、発光素子２３からの光が導光板２４内を面方向に導かれて導光板２４の端面に到達した際、その到達した光を導光板２４の下側照明部４０内に向けて反射するように構成されている。
【００５５】
第２照明領域４２は、図２２に示すように、第２プリズム４５および第２側面反射部４６を備え、３時側に設けられている。この第２プリズム４５は、発光素子２３とこれに対向する導光板２４の対角部とを結ぶ直線、つまり１２時と６時とを結ぶ直線に対しほぼ平行に設けられ、その反射面４５ａが３時側に向いて設けられ、これにより３時側から下側照明部４０に導入された光を導光板２４の下面側に向けて反射するように構成されている。この場合にも、第２プリズム４５は、その配列ピッチが第２側面反射部４６側つまり３時側から離れるに従って次第に狭くなるように形成されていることが望ましい。また、第２側面反射部４６は、導光板２４の側面のうち、３時から６時の間に位置する導光板２４の側面に設けられ、発光素子２３からの光が導光板２４を面方向に導かれて導光板２４の端面に到達した際、その到達した光を導光板２４の下側照明部４０に向けて反射するように構成されている。
【００５６】
このような腕時計によれば、第２実施形態と同様、明るい所では外部光によって第１表示部材である文字板１３および指針１５を照明することができると共に第２表示部材である液晶表示素子１０を照明することができ、また暗い所では発光素子２３を発光させることにより、この発光素子２３の光を照明装置６の導光板２４で導いて上側照明部２６で第１表示部材である文字板１３および指針１５を照明することができると共に、下側照明部４０で第２表示部材である液晶表示素子１０を照明することができる。
【００５７】
この場合には、下側照明部４０が第１、第２照明領域４１、４２に分割され、第１、第２照明領域４１、４２の各プリズム４３、４５が、発光素子２３とこれに対向する導光板２４の対角部とを結ぶ直線、つまり１２時と６時とを結ぶ直線に対しほぼ平行に設けられているので、第２実施形態と同様、発光素子２３から下側照明部４０に導かれた光は下側照明部４０の第１、第２照明領域４１、４２をそのまま面方向に導かれ、この導かれた光が導光板２４の端面に到達すると、その到達した光が導光板２４の外周面に設けられた第１、第２側面反射部４４、４６で反射され、この反射された光が再び下側照明部４０の第１、第２照明領域４１、４２に導入される。
【００５８】
このときには、図２２に示すように、第１照射領域４１の第１プリズム４３の反射面４３ａが９時側に向けて設けられているので、６時から９時の間に位置する第１側面反射部４４で反射された光が第１照明領域４１に導入されると、第１プリズム４３の反射面４３ａで導光板２４の下面側に向けて反射され、第１照射領域４１が面発光する。また、第２照射領域４２の第２プリズム４５の反射面４５ａが３時側に向けて設けられているので、３時から６時の間に位置する第２側面反射部４６で反射された光が第２照明領域４２に導入されると、第２プリズム４５の反射面４５ａで導光板２４の下面側に向けて反射され、第２照射領域４２が面発光する。これにより、第１、第２照明領域４１、４２がそれぞれ面発光し、その光が液晶表示素子１０の上面全体に照射されるので、発光素子２３からの光を効率良く液晶表示素子１０に照射することができ、このため第２実施形態のものよりも、液晶表示素子１０を明るく照明することができる。
【００５９】
［第４実施形態］
次に、図２３〜図２５を参照して、この発明を腕時計に適用した第４実施形態について説明する。この場合にも、図１４〜図１８に示された第２実施形態と同一部分に同一符号を付して説明する。
この腕時計は、光源として、１２時と６時との位置に第１、第２発光素子５０、５１を設け、導光板２４の外周面における３時から６時の間に側面反射部５２を設けた構造で、これ以外は第２実施形態とほぼ同じ構造になっている。
【００６０】
すなわち、第１、第２発光素子５０、５１のうち、導光板２４の１２時に位置する第１発光素子５０は、第１実施形態と同様、可視光線領域の光を発光する発光ダイオードなどで構成され、図２４に示すように、導光板２４の側面に対向して配置され、発光した光が導光板２４の側面から入射するように構成されている。また、導光板２４の６時に位置する第２発光素子５１は、波長が３６５〜３８５ｎｍ（ナノメートル：ナノメートルは１０億分の１メートル）の紫外線領域の光を発光する紫外線発光ダイオードや紫外線灯などで構成され、図２４に示すように、文字板１３の側部の上方に位置した状態で配置され、発光した紫外線領域の光を文字板１３の上面にその側部上方から照射するように構成されている。
【００６１】
この場合、導光板２４の下側照明部５３は、図２３および図２５に示すように、ライン状の各プリズム５４が第１、第２発光素子５０、５１を結ぶ直線つまり１２時と６時とを結ぶ直線に対しほぼ平行に設けられていると共に、各プリズム５４の反射面５４ａが３時側に向けて設けられ、これにより３時側から下側照明部５３に入射した光を導光板２４の下面側に向けて反射するように構成されている。また、側面反射部５２は、３時から６時の間に位置する導光板２４の側面に設けられ、第１発光素子５０から導光板２４内に入射した光が導光板２５で面方向に導かれて導光板２４の端面に到達した際、その到達した光を導光板２４の下側照明部５３内に向けて反射するように構成されている。また、第１表示部材である文字板１３の時字１３ｂと指針１５には、図２３に示すように、紫外線領域の光に反応して可視光線領域の光を発光する発光部５５が設けられている。
【００６２】
このような腕時計によれば、第２実施形態と同様、明るい所では外部光によって文字板１３および指針１５が照明されると共に液晶表示素子１０も照明され、また暗い所で第１発光素子５０を発光させると、この第１発光素子５０が人間の目に見える可視光線領域の光を発光するので、この可視光線領域の光が導光板２４で導かれ、上側照明部２６で文字板１３および指針１５を照明することができると共に、下側照明部５３で液晶表示素子１０を照明することができる。このときにも、第２実施形態と同様、下側照明部５３に導かれた光は下側照明部５３をそのまま面方向に面方向に導かれ、この導かれた光が導光板２４の端面に到達すると、導光板２４の側面に設けられた側面反射部５３で反射され、この反射された光が再び下側照明部５３に入射して各プリズム５４の反射面５４ａで導光板２４の下面側に向けて反射され、これにより下側照明部５３が面発光して液晶表示素子１０を照明することができる。
【００６３】
また、第２発光素子５１を発光させると、この第２発光素子５１が人間の目に見えない紫外線領域の光を発光して文字板１３の上面側に照射され、これにより文字板１３の時字１３ｂおよび指針１５に設けられた発光部５５が紫外線領域の光に反応して可視光線領域の光を発光するので、この発光部５５で発光した可視光線領域の光によって暗い所でも文字板１３の時字１３ｂと指針１５とを視認することができ、これにより時刻を知ることができる。なお、このときには、第２発光素子５１で発光した紫外線領域の光は文字板１３および導光板２４を透過して液晶表示素子１０に照射されても、その照射光が人間の目に見えない紫外線領域の光であるから、液晶表示素子１０に表示された情報を視認することはできないが、第１、第２発光素子５０、５１を同時に発光させることにより、液晶表示素子１０に照射された情報を視認することができる。
【００６４】
このように、この腕時計によれば、第２実施形態と同様、第１発光素子５０の光を１枚の導光板２４で導いてその上下面側を照明することができるため、導光板２４の上下面側に配置された第１表示部材である文字板１３と指針１５、および第２表示部材である液晶表示素子１０を良好に照明することができ、これにより明るい所でも暗い所でも時刻を知ることができるほか、特に第２発光素子５１をも発光させて、紫外線領域の光を文字板１３および指針１５に照射することにより、文字板１３の時字１３ｂおよび指針１５に設けられた各発光部５５を可視光線領域の光で発光させることができ、これにより装飾性に優れたものを得ることができる。
【００６５】
なお、上記第４実施形態では、導光板２４の下側照明部５３がライン状のプリズム５４で形成され、このプリズム５４の反射面５４ａが３時側に向けて設けられ、これにより３時側から下側照明部５３に導入された光を導光板２４の下面側に向けて反射するように構成されているが、これに限らず、プリズム５４の反射面５４ａを９時側に向けて設け、これにより９時側から下側照明部５３に導入された光を導光板２４の下面側に向けて反射するように構成しても良い。この場合には、側面反射部５２を６時から９時の間に位置する導光板２４の側面に設け、第１発光素子５０からの光が導光板２４内を面方向に導かれて導光板２４の端面に到達した際、その到達した光を導光板２４の下側照明部５３内に向けて反射するように構成すれば良い。このように構成しても、第４実施形態と同様の作用効果がある。
【００６６】
また、これに限らず、例えば図１９〜図２２に示した第３実施形態と同様、下側照明部５３を、９時側の第１照明領域４１と３時側の第２照明領域４２とに分割し、第１照明領域４１を第１プリズム４３および第１側面反射部４４で構成し、第２照明領域４２を第２プリズム４５および第２側面反射部４６で構成しても良い。このように構成すれば、下側照明部５３に導かれた光が第１、第２照明領域４１、４２の第１、第２側面反射部４４、４６で反射されて再び下側照明部５３の第１、第２照明領域４１、４２に導入されると、この導入された光が第１、第２プリズム４３、４５の反射面４３ａ、４５ａでそれぞれ導光板２４の下面側に向けて反射され、これにより第１、第２照明領域４１、４２が面発光して液晶表示素子１０を照明することができるので、第１発光素子５０の光を効率良く液晶表示素子１０に照射することができ、より一層、液晶表示素子１０を明るく照明することができる。
【００６７】
［第５実施形態］
次に、図２６〜図２８を参照して、この発明を腕時計に適用した第５実施形態について説明する。この場合には、図１〜図６に示された第１実施形態と同一部分に同一符号を付して説明する。
この腕時計は、時計モジュール３がアナログ機能と照明装置６とを備え、照明装置６の導光板２４の下面に金属などの非透過性材料からなる文字板６０を配置し、この導光板２４の複数個所に下側照明部６１を設けると共に、この導光板２４の１２時と６時とに位置する側面に対向させて第１、第２発光素子６２、６３を設けた構造で、これ以外は第１実施形態とほぼ同じ構造になっている。
【００６８】
すなわち、この時計モジュール３は、図２７に示すように、上部ハウジング７にアナログムーブメント９を設け、このアナログムーブメント９および上部ハウジング７の上面に金属などの非透過性材料の文字板６０を配置し、この文字板６０上に照明装置６の導光板２４を配置した構造になっている。この場合、アナログムーブメント９は、その指針軸１２が文字板６０および導光板２４の各貫通孔６４を通して上方に突出し、この突出した指針軸１２の上端部に指針１５が取り付けられ、この指針１５が導光板２４の上方を運針するように構成されている。
【００６９】
また、文字板６０は、その中心にアナログムーブメント９の指針軸１２が挿入する貫通孔６４が設けられていると共に、図２６に示すように、上面の外周部分に時字６０ａが１時〜１２時に対応して設けられ、導光板２４を上面側から下面側に向けて透過した光を上面全体で反射するように構成されている。これにより、この第５実施形態では、指針１５が導光板２４の上方に位置する第１表示部材に相当する構成で、文字板６０が導光板２４の下方に位置する第２表示部材に相当する構成になっている。
【００７０】
照明装置６の第１、第２発光素子６２、６３は、いずれも可視光線領域の光を発光する発光ダイオードなどからなり、それぞれ異なる色の光を発光するように構成されている。例えば、第１発光素子６２は、１２時の位置に設けられ、赤色の光を発光するように構成されており、第２発光素子６３は、６時の位置に設けられ、青色の光を発光するように構成されている。また、照明装置６の導光板２４は、図２６に示すように、その上面の複数個所に下側照明部６１が設けられていると共に、この下側照明部６１に対応する個所を除く全域に第１実施形態と同じ構造の上側照明部２６が設けられた構造になっている。この場合、下側照明部６１は、図２６に示すように、第１照明領域６５と第２照明領域６６とからなっている。
【００７１】
第１照明領域６５は、文字板６０の時字６０ａに対応する個所にそれぞれ設けられ、ライン状の各プリズム６７が第１発光素子６２から放射される光に対しほぼ直交する方向にそれぞれ設けられていると共に、図２８に示すように、各プリズム６７の反射面６７ａが第１発光素子６２側に向いて設けられ、これにより第１発光素子６２からの光を下面側に向けて反射するように構成されている。また、第２照明領域６６は、図２６に示すように、文字板６０の上面における指針軸１２と６時の時字６０ａとの間に設けられ、ライン状の各プリズム６８が第２発光素子６３から放射される光に対しほぼ直交する方向に設けられていると共に、図２８に示すように、各プリズム６８の反射面６８ａが第２発光素子６３側に向いて設けられ、これにより第２発光素子６３からの光を下面側に向けて反射するように構成されている。この場合、第２照明領域６６に対応する個所の文字板６０の上面には、図２６に示すように、絵や図形、記号などの装飾部６９が設けられている。
【００７２】
このような腕時計によれば、第１実施形態と同様、明るい所では外部光によって文字板６０および指針１５が照明されるので、文字板６０および指針１５によって時刻を知ることができると共に、文字板６０の時字６０ａおよび装飾部６９を視認することができる。また、暗い所で第１、第２発光素子６２、６３を発光させると、その光が導光板２４で導かれて上側照明部２６で上面側に放射されるので、指針１６を下面側から照明することができると共に、導光板２４で導かれた光が下側照明部６１で下面側に放射されるので、文字板６０を上面側から照明することができ、これにより暗い所でも文字板６０および指針１５によって時刻を知ることができる。
【００７３】
この場合、第１発光素子６２のみを発光させると、特定色の光、例えば赤色の光を発光し、この赤色の光が導光板２４で導かれ、上側照明部２６で上面側の指針１５を赤色で照明すると共に、下側照明部６１の第１照明領域６５で下面側の文字板６０の時字６０ａを赤色で照明する。このときには、第１発光素子６２で発光した赤色の光が第２照明領域６６ではそのまま面方向に導かれるので、文字板６０の装飾部６９はほとんど照明されない。また、第２発光素子６６のみを発光させると、第１発光素子６５と異なる色の光、例えば青色の光を発光し、この青色の光が導光板２４で導かれ、上側照明部２６で上面側の指針１５を青色で照明すると共に、下側照明部６１の第２照明領域６６で下面側の文字板６０の装飾部６９を青色で照明する。このときには、第２発光素子６６で発光した青色の光が第１照明領域６５ではそのまま面方向に導かれるので、文字板６０の時字６０ａはほとんで照明されない。
【００７４】
また、第１、第２発光素子６２、６３の両者を同時に発光させると、導光板２４の上側照明部２６では第１、第２発光素子６２、６３の両者の発光色が混じり合った混合色で導光板２４の上面側の指針１５が照明されるが、下側照明部６１の第１照明領域６５では第１発光素子６２の発光色、例えば赤色で導光板２４の下側に位置する文字板６０の時字６０ａのみが照明され、また第２照明領域６６では第２発光素子６３の発光色、例えば青色で導光板２４の下側に位置する文字板６０の装飾部６９のみが照明される。このため、文字板６０の時字６０ａが赤色で、文字板６０の装飾部６９が青色で見えることになり、これにより色彩性および装飾性に優れたものを得ることができる。
【００７５】
なお、上記第５実施形態では、時計モジュール３がアナログ機能のみを有し、文字板６０の上面に装飾部６９を下側照明部６１の第２照明領域６６に対応させて設けた場合について述べたが、これに限らず、例えば、図２９に示された第４変形例のように、文字板６０に開口部７０を下側照明部６１の第２照明領域６６に対応させて設け、この開口部７０に対応させて液晶表示素子１０を上部ハウジング７に設けた構造でも良い。このような構造でも、第５実施形態と同様、第１発光素子６２の発光色（例えば赤色）で文字板６０の時字６０ａを照明することができると共に、第２発光素子６３の発光色（例えば青色）で液晶表示素子１０を照明することができ、これにより文字板６０の装飾部６９に代えて液晶表示素子１０を設けても、色彩性および装飾性に優れたものを得ることができる。
【００７６】
［第６実施形態］
次に、図３０〜図３２を参照して、この発明を腕時計に適用した第６実施形態について説明する。この場合にも、図１〜図６に示された第１実施形態と同一部分に同一符号を付して説明する。
この腕時計は、導光板２４の下面に反射板２５に代えてソーラーパネル７５を設けた構造で、これ以外は第１実施形態と同じ構造になっている。すなわち、このソーラーパネル７５は、絶縁基板上に金属製の下部電極層、アモルファスシリコン層、透明な上部電極層、および透明な保護層を下から順に積層した構造で、上方から外部光が照射されると、その外部光が透明な保護層および透明な上部電極を透過してアモルファスシリコン層に照射され、且つこのアモルファスシリコン層を透過した光が下部電極層で反射されることにより、効率良く起電力を発生するように構成されている。
【００７７】
また、このソーラーパネル７５は、その中心にアナログムーブメント９の指針軸１２が挿入する貫通孔１４が設けられていると共に、液晶表示素子１０に対応する部分に開口部７６が設けられた構成になっている。この第６実施形態においても、導光板２４の１２時に位置する側面には、第１実施形態と同様、発光素子２３が対応して配置されている。この導光板２４にも、上側照明部２６と下側照明部２７とが設けられている。上側照明部２６は、導光板２４で導かれた光を上面側に向けて放射して面発光するように構成されている。
【００７８】
この場合、上側照明部２６は、導光板２４の下面側に漏れた光がソーラーパネル７５で上面側に向けて反射され、この反射された光も導光板２４の上面側から放射されるように構成されている。また、下側照明部２７は、ライン状の各プリズム２９が発光素子２３とこれに対向する導光板２４の対角部とを結ぶ直線、つまり１２時と６時とを結ぶ直線に対しほぼ直交して設けられ、これら各プリズム２９の反射面２９ａが導光板２４で導かれた光を下面側に向けて反射するように構成されている。
【００７９】
このような腕時計では、第１実施形態と同様、明るい所では外部光によって文字板１３と指針１５が照明されると共に、外部光が文字板１３およびその開口部１６を通して導光板２４に照射され、この照射された外部光が導光板２４を上面側から下面側に透過してソーラーパネル７５に照射されるので、ソーラーパネル７５によって良好に発電することができ、またソーラーパネル７５の開口部７６を透過した外部光が液晶表示素子１０に照射されるので、液晶表示素子１０に表示された時刻などの情報を見ることができる。
【００８０】
また、暗い所で発光素子２３を発光させると、その光が導光板２４で面方向に導かれ、この導かれた光が導光板２４の上側照明部２６で導光板２４の上面側に向けて放射されて上側照明部２６が面発光することにより、導光板２４の上面側を照明することができる。また、導光板２４の下側照明部２７に導かれた光が下側照明部２７で導光板２４の下面側に向けて放射されて下側照明部２７が面発光することにより、導光板２４の下面側を照明することができる。これにより、１枚の導光板２４でその上下面側を照明することができるので、暗い所でも導光板２４の上面側に配置された文字板１３と指針１５、および導光板２４の下面側に配置された液晶表示素子１０を良好に照明することができる。
【００８１】
［第７実施形態］
次に、図３３〜図３６を参照して、この発明を腕時計に適用した第７実施形態について説明する。この場合にも、図１〜図６に示された第１実施形態と同一部分に同一符号を付して説明する。
この腕時計は、表示部材として、透過型の第１液晶表示素子８０と反射型の第２液晶表示素子８１とを備え、これら第１、第２液晶表示素子８０、８１の間に導光板２４を配置した構造で、これ以外は第１実施形態とほぼ同じ構造になっている。
【００８２】
すなわち、第１液晶表示素子８０は、図３６に示すように、上下一対の透明な電極基板８２、８３間に液晶（図示せず）を封入し、上側の電極基板８２の上面および下側の電極基板８３の下面にそれぞれ偏光板８４、８５を設けた透過型のものであり、図３４に示すように、上側の電極基板８２の端部がインターコネクタ８６によって回路基板１１に電気的に接続された状態で支持され、この状態で上下一対の電極基板８２、８３間に選択的に電圧を印加することにより、時刻などの情報を電気光学的に表示するように構成されている。
【００８３】
また、第２液晶表示素子８１は、第１実施形態の液晶表示素子１０と同様、上下一対の透明な電極基板１７、１８間に液晶（図示せず）を封入し、上側の電極基板１７の上面および下側の電極基板１８の下面にそれぞれ偏光板１９、２０を設け、下側の偏光板１９、２０の下面に反射板２１を設けた反射型のものであり、上側の電極基板１７の端部がインターコネクタ２２によって回路基板１１に電気的に接続された状態で支持され、この状態で上下一対の電極基板１７、１８間に選択的に電圧を印加することにより、時刻などの情報を電気光学的に表示するように構成されている。
【００８４】
この場合、上側の第１液晶表示素子８０は、導光板２４の上面全体、つまり導光板２４の上側照明部２６および下側照明部２７の両者にまたがる大きさに形成されており、下側の第２液晶表示素子８１は、導光板２４の下側照明部２７に対応する大きさに形成されている。また、導光板２４の１２時に位置する側面には、第１実施形態と同様、発光素子２３が対向して配置されており、この導光板２４の下面には、第２液晶表示素子８１に対応する開口部２５ａが設けられた反射板２５が配置されている。なお、この導光板２４の上側照明部２６は、導光板２４で導かれた光を上面側に向けて反射するように構成されており、下側照明部２７は、ライン状の各プリズム２９が発光素子２３とこれに対向する導光板２４の対角部とを結ぶ直線、つまり１２時と６時とを結ぶ直線に対しほぼ直交して設けられ、これら各プリズム２９の反射面２９ａが導光板２４で導かれた光を下面側に向けて反射するように構成されている。
【００８５】
このような腕時計によれば、明るい所では外部光が時計ガラス２を通して腕時計ケース１内に入射し、この入射した外部光が第１液晶表示素子８０に照射されるので、第１液晶表示素子８０に表示された時刻などの情報を視認することができる。すなわち、腕時計ケース１内に入射した外部光が第１液晶表示素子８０に照射されると、この照射された外部光が第１液晶表示素子８０および導光板２４を透過し、導光板２４の上側照明部２６をその上面側から下面側に透過した光が反射板２５で反射され、その反射光が上記と逆の光路を経て再び導光板２４および第１液晶表示素子８０を透過するので、第１液晶表示素子８０に表示された時刻などの情報を視認することができる。
【００８６】
このとき、導光板２４の下側照明部２７を透過した外部光のうち、反射板２５の開口部２５ａを透過した外部光が、第２液晶表示素子８１に照射され、この照射された外部光が第２液晶表示素子８１に入射して第２液晶表示素子８１の反射板２１で反射され、その反射光が上記と逆の光路を経て再び第２液晶表示素子８１、反射板２５の開口部２５ａ、導光板２４の下側照明部２７、および第１液晶表示素子８０を透過してその上方に放射されるので、第２液晶表示素子８１に表示された情報を第１液晶表示素子８０を透して視認することができる。
【００８７】
また、暗い所で照明装置６の発光素子２３を発光させると、第１実施形態と同様、発光素子２３の光が導光板２４に側面から入射して導光板２４で面方向に導かれ、この導光板２４の上側照明部２６に導かれた光が導光板２４の上面側に向けて放射されると共に、導光板２４の下面側に漏れた光が反射板２５で反射されるので、上記と同様、第１液晶表示素子８０が下面側から照明され、これにより暗い所でも第１液晶表示素子８０に表示された時刻などの情報を視認することができる。また、導光板２４の下側照明部２７に導かれた光は、下側照明部２７の各プリズム２９の反射面２９ａで導光板２４の下面側に向けて反射され、この反射された光が反射板２５の開口部２５ａを透過して第２液晶表示素子８１に照射されるので、上記と同様、暗い所でも第２液晶表示素子８１に表示された時刻などの情報を第１液晶表示素子８０を透して視認することができる。
【００８８】
このように、この腕時計によれば、暗い所で発光素子２３を発光させると、その発光した光が導光板２４で面方向に導かれると共に、導光板２４の上側照明部２６で導光板２４の上面側に向けて反射されて面発光するので、第１液晶表示素子８０を下面側から照明することができ、また導光板２４の下側照明部２７に導かれると、この導かれた光が導光板２４の下側照明部２７で導光板２４の下面側に向けて反射されて面発光するので、第２液晶表示素子８１を上面側から照明することができる。このため、１枚の導光板２４でその上下面側を照明することができ、明るい所でも暗い所でも、第１、第２液晶表示素子８０、８１に表示された情報を視認することができる。
【００８９】
また、この腕時計においても、１枚の導光板２４でその上下面側を照明することができるので、第１液晶表示素子８０の下面に導光板２４を介して第２液晶表示素子８１を配置しても、第２液晶表示素子８１の下面にＥＬ素子（エレクトロルミネッセンス素子）などの平面型のバックライト装置を用いずに、第２液晶表示素子８１を照明することができ、このため時計モジュール３全体の薄型化および省スペース化を図ることができ、これにより腕時計全体の小型化および薄型化を図ることができる。また、導光板２４の下側照明部２７に第２液晶表示素子８１を接近させて配置することができるので、導光板２４の光の屈折によって第２液晶表示素子８１に表示された情報に輪郭滲みが生じるのを抑制することができ、これにより第２液晶表示素子８１に表示された情報を第１液晶表示素子８０を透して良好に視認することができる。
【００９０】
［第８実施形態］
次に、図３７および図３８を参照して、この発明を携帯電話機に適用した第８実施形態について説明する。この場合には、図３３〜図３６に示された第７実施形態と同一部分に同一符号を付して説明する。
この携帯電話機は、図３７および図３８に示すように、合成樹脂製の機器ケース９０を備えている。この機器ケース９０の上面における上辺側には開口部が設けられ、この開口部には窓部に相当する透明な保護ガラス９１が装着されており、この機器ケース９０の上面における下辺側には、電話機能に必要な各種のキー釦９２が設けられている。また、この機器ケース９０の上端面には、アンテナ９３が出没可能に取り付けられている。
【００９１】
この機器ケース９０の内部には、図３８に示すように、携帯電話機用のモジュール９４が収納されている。この携帯電話機用のモジュール９４は、電話に必要な情報を表示する第１、第２液晶表示素子８０、８１および照明装置６を備えている。この照明装置６は、第７実施形態と同様、第１、第２液晶表示素子８０、８１の間に配置された導光板２４と、この導光板２４の１２時に位置する側面に対向して配置された発光素子２３とで構成されている。この導光板２４には、上側照明部２６と下側照明部２７とが設けられており、この導光板２４の下面には、第２液晶表示素子８１に対応する開口部２５ａが設けられた反射板２５が配置されている。また、第１液晶表示素子８０は、透過型のものであり、導光板２４とほぼ同じ大きさに形成されて保護ガラス９１の下側に対応して配置されている。第２液晶表示素子８１は、反射型のものであり、反射板２５の開口部２５ａに対応する大きさに形成され、下側照明部２７および反射板２５の下側に配置されている。
【００９２】
このような携帯電話機によれば、第７実施形態と同様、明るい所では外部光が保護ガラス９１を通して機器ケース９０内に入射し、この入射した外部光が第１液晶表示素子８０に照射されると共に、この第１液晶表示素子８０、導光板２４、および反射板２５の開口部２５ａを透過して第２液晶表示素子８１に照射されるので、第１、第２液晶表示素子８０、８１に表示された情報を視認することができる。また、暗い所で発光素子２３を発光させると、第７実施形態と同様、発光素子２３の光が導光板２４で面方向に導かれ、上側照明部２６で導光板２４の上面側に向けて放射されるので、上側照明部２６が面発光して第１液晶表示素子８０を下面側から照明することができ、また下側照明部２７に導かれた光が下側照明部２７の各プリズム２９の反射面２９ａで導光板２４の下面側に向けて反射されるので、下側照明部２７が面発光して反射板２５の開口部２５ａを通して第２液晶表示素子８１を上面側から照明することができ、これにより暗い所でも第１、第２液晶表示素子８０、８１に表示された情報を見ることができる。
【００９３】
このように、この携帯電話機においても、暗い所でも発光素子２３を発光させると、導光板２４の上側照明部２６で第１液晶表示素子８０を下面側から照明することができると共に、下側照明部２７で第２液晶表示素子８１を上面側から照明することができ、これにより１枚の導光板２４でその上下面側を照明することができるので、明るい所でも暗い所でも、第１、第２液晶表示素子８０、８１に表示された情報を見ることができる。この場合にも、１枚の導光板２４でその上下面側を照明することができるので、第２液晶表示素子８１の下面にＥＬ素子（エレクトロルミネッセンス素子）などの平面型のバックライト装置を用いる必要がなく、このためモジュール９４の薄型化および省スペース化が図れ、機器全体の小型化および薄型化を図ることができる。さらに、導光板２４の下側照明部２７に第２液晶表示素子８１を接近させて配置することができるので、導光板２４の光の屈折によって第２液晶表示素子８１に表示された情報に輪郭滲みが生じるのを抑制でき、第２液晶表示素子８１に表示された情報を良好に視認することができる。
【００９４】
なお、上記第６〜第８実施形態では、導光板２４の上側照明部２６が導光板２４の下面に凹凸部２８を形成した構造になっている場合について述べたが、これに限らず、例えば、図１０および図１１に示した第２変形例のように、導光板２４の上面に凹凸部２８を形成した構造でも良く、また図１２および図１３に示した第３変形例のように、導光板２４の下面にライン状のプリズム３２を多数配列形成した構造でも良い。
【００９５】
また、上記第６〜第８実施形態では、導光板２４の下側照明部２７のプリズム２９が、発光素子２３とこれに対向する導光板２４の対角部とを結ぶ直線、つまり１２時と６時とを結ぶ直線に対しほぼ直交して設けられている場合について述べたが、これに限らず、例えば、図１４〜図１８に示した第２実施形態、または図２３〜図２５に示した第４実施形態のように、下側照明部３５、５３のプリズム３６、５４を、１２時と６時とを結ぶ直線に対しほぼ平行に設け、その反射面３６ａ、５４ａを９時側または３時側に向けて設けても良い。この場合には、導光板２４の６時から９時の間に位置する側面または導光板２４の３時から６時の間に位置する側面に側面反射部３７、５２を設ければ良い。この場合にも、プリズム３６、５４は、その配列ピッチが発光素子２３側つまり１２時側から離れるに従って次第に狭くなるように形成されていることが望ましい。
【００９６】
また、これに限らず、図１９〜図２２に示した第３実施形態のように、下側照明部４０を第１、第２照明領域４１、４２に分割し、第１照明領域４１を第１プリズム４３および第１側面反射部４４で構成し、第２照明領域４２を第２プリズム４５および第２側面反射部４６で構成しても良い。
さらに、上記第６〜第８実施形態では、導光板２４の１２時側に位置する個所のみに発光素子２３を設けた場合について述べたが、これに限らず、例えば図２３〜図２５に示した第４実施形態、または図２６〜図２９に示した第５実施形態のように、導光板２４の１２時と６時とに位置する個所に第１発光素子５０、６２と第２発光素子５１、６３を設けた構造でも良い。
【００９７】
なおまた、上記第１〜第８実施形態およびその各変形例では、腕時計または携帯電話機に適用した場合について述べたが、これに限らず、例えば電子手帳、電子辞書、携帯端末機、パーソナルコンピュータ、印刷機などの各種の電子機器、または自動車の計器類などの各種機器、あるいはそれらの各部品に広く適用することができる。
【００９８】
【発明の効果】
以上説明したように、この発明によれば、光源からの光を導光板の側面から入射し、この入射した光を導光板で面方向に導いて導光板を面発光させることにより、表示部材を照明する照明装置において、導光板が、光源からの光を面方向に導くと共に導光板の上面側に向けて放射する上側照明部と、光源からの光を面方向に導くと共に導光板の下面側に向けて放射する下側照明部とを備え、表示部材を導光板の上面側と下面側とにそれぞれ配置したことにより、光源からの光が導光板内に入射して導光板で面方向に導かれると共に、この導光板の上側照明部に導かれた光が上側照明部で導光板の上面側に向けて放射されるので、上側照明部全体から光を放射して導光板の上面側を面発光により照明でき、また導光板の下側照明部に導かれた光が導光板の下側照明部で導光板の下面側に向けて放射されるので、下側照明部全体から光を放射して導光板の下面側を面発光により照明でき、このため１枚の導光板でその上下面側に配置された表示部材を良好に照明することができる。
【００９９】
この場合、上側照明部が、導光板で導かれた光を導光板の上下面の一方に形成された凹凸部によって導光板の上面側に向けて乱反射する構造であることにより、導光板内に入射して上側照明部に導かれた光が上側照明部の凹凸部で乱反射されて面発光し、この面発光した光が導光板の上面側に向けて放射されるので、導光板の上面側を照明することができる。また、上側照明部が、導光板で導かれた光を導光板の下面に多数形成されたライン状のプリズムの各反射面で導光板の上面側に向けて反射する構造であることにより、導光板内に入射して上側照明部に導かれた光が上側照明部のプリズムの各反射面で反射されて面発光し、この面発光した光が導光板の上面側に向けて放射されるので、導光板の上面側を照明することができる。さらに、上側照明部の下面に反射板を配置したことにより、上側照明部で光が導光板の下側に漏れても、その漏れた光を反射板で導光板の上面側に向けて反射することができ、これにより上側照明部で光が下面側に漏れるのを防いで効率良く導光板の上面側に放射させることができる。
【０１００】
また、下側照明部が、導光板で導かれた光を導光板の上面に多数形成されたライン状のプリズムの各反射面によって導光板の下面側に向けて反射する構造であることにより、導光板内に入射して下面照明部に導かれた光が下側照明部のプリズムの各反射面で反射されて面発光し、この面発光した光が導光板の下面側に向けて放射されるので、導光板の下面側を良好に照明することができる。この場合、下側照明部のライン状の各プリズムが、光源とこれに対向する導光板の対角部とを結ぶ直線に対しほぼ直交して設けられていることにより、導光板に入射して下側照明部に導かれた光が直接プリズムの反射面で下面側に向けて反射されて面発光するので、この面発光した光で導光板の下面側を照明することができる。また、下側照明部側に位置する導光板の側面に、下側照明部を面方向に導かれて導光板の端面に到達した光を下側照明部内に向けて反射する側面反射部を設けたことにより、下側照明部に導かれた光が導光板の端面に到達すると、この到達した光が側面反射部で下側照明部内に向けて反射され、この反射された光が下側照明部で導光板の下面側に向けて放射されるので、導光板の下面側を良好に照明することができる。
【０１０１】
また、下側照明部のライン状の各プリズムが、光源とこれに対向する導光板の対角部とを結ぶ直線に対しほぼ平行に設けられ、導光板の側面に、下側照明部を面方向に導かれて導光板の端面に到達した光を下側照明部内に向けて反射する側面反射部が設けられていることにより、光源からの光が導光板に入射して下側照明部に導かれても、プリズムの反射面で光が導光板の下面側に向けて反射されず、そのまま面方向に導かれ、この導かれた光が側面反射部で下側照明部内に向けて反射され、この反射された光が再び下側照明部に導入されると、この導入された反射光が下側照明部のプリズムの反射面で導光板の下面側に向けて反射され、これにより下側照明部が面発光して導光板の下面側を良好に照明することができる。
【０１０２】
特に、下側照明部が、第１プリズムおよび第１側面反射部を有する第１照明領域と、第２プリズムおよび第２側面反射部を有する第２照明領域とを備えていることにより、光源からの光が導光板に入射して下側照明部に導かれても、そのまま面方向に導かれて第１、第２側面反射部で下側照明部内に向けて反射され、これにより第１側面反射部で反射された光が第１プリズムによって導光板の下面側に向けて反射されると共に、第２側面反射部で反射された光が第２プリズムによって導光板の下面側に向けて反射されるので、光源からの光を効率良く導光板の下面側に放射することができる。
【０１０３】
また、光源が、上側照明部側に位置する導光板の外周部の所定個所に配置された第１発光素子と、下側照明部側に位置する導光板の外周部の所定個所に配置された第２発光素子とを備え、第１、第２発光素子がそれぞれ異なる色の光を発光することにより、第１発光素子で発光した特定色の光によって導光板の上下面側を照明でき、また第２発光素子で発光した異なる色の光で導光板の上下面側を照明でき、第１、第２発光素子の両方を同時に発光させると、その両方の混合色の光で導光板の上下面側を照明することができ、これにより色彩性および装飾性に優れたものを得ることができる。
【０１０４】
この場合、下側照明部が、第１発光素子からの光を導光板の下面側に向けて放射する第１照明領域と、第２発光素子からの光を導光板の下面側に向けて放射する第２照明領域とを備えていることにより、第１発光素子で発光した特定色の光が第１照明領域で導光板の下面側に向けて放射されるので、第１照明領域が面発光して導光板の下面側を照明することができ、また第２発光素子で発光した異なる色の光が第２照明領域で導光板の下面側に向けて放射されるので、第２照明領域が面発光して導光板の下面側を照明することができるほか、特に第１、第２発光素子を同時に発光させても、第１、第２照明領域ごとに異なる色の光で照明することができ、このため、より一層、色彩性および装飾性の高いものを得ることができる。
【０１０５】
また、光源が、上側照明部側に位置する導光板の外周側の所定個所に配置された第１発光素子と、下側照明部側に位置する導光板の外周側の所定個所に配置された第２発光素子とを備え、第１、第２発光素子の一方が可視光線領域の光を発光し、他方が紫外線領域の光を発光する構成で、表示部材に、紫外線領域の光に反応して可視光線領域の光を発光する発光部を設けたことにより、第１、第２発光素子の一方を発光させると、人間の目に見える可視光線領域の光によって導光板の上下面側を照明することができ、また第１、第２発光素子の他方を発光させると、人間の目に見えない紫外線領域の光が表示部材に照射され、この照射された紫外線領域の光に表示部材の発光部が反応して可視光線領域の光を発光するので、この発光部で発光した可視光線領域の光によって表示部材を視認することができ、これによっても装飾性に優れたものを得ることができる。
【０１０６】
さらに、表示部材が、導光板の上面側に配置された第１表示部材と、導光板の下面側に少なくとも下側照明部と対応して配置された第２表示部材とを備えていることにより、第１表示部材が導光板の上側照明部によって照明されると共に、第２表示部材が導光板の下側照明部によって照明されるので、導光板の上下両面側に第１、第２表示部材を配置しても、良好に視認することができる。この場合、第１表示部材が、光透過性を有する文字板の上方を指針が運針する指針式表示部であり、第２表示部材が、電気光学的に情報を表示する平面表示部であることにより、光源で発光した光を導く導光板の上側照明部によって文字板およびこの文字板を通して指針を下面側から照射することができ、これにより文字板および指針によって時刻を知ることができると共に、導光板の下側照明部によって平面表示部を上面側から照明することができ、このため液晶表示素子の下面側にバックライト装置を設けなくても、平面表示部に表示された情報を視認することができる。
【０１０７】
また、導光板の下面にソーラーパネルを配置し、このソーラーパネルに開口部を平面表示部に対応させて設けたことにより、ソーラーパネルの下側に液晶表示素子を配置しても、導光板で導かれて下側照明部で導光板の下面側に放射された光がソーラーパネルの開口部を通して平面表示部に照射されるので、液晶表示素子を上面側から照明できるほか、特に明るい所で外部光が導光板を透過してソーラーパネルに照射されるので、ソーラーパネルによって良好に発電することができる。また、第１表示部材が電気光学的に情報を表示する透過型の第１表示素子であり、第２表示部材が電気光学的に情報を表示する反射型の第２表示素子であることにより、導光板の上側照明部によって第１表示素子を下面側から照明することができ、また導光板の下側照明部によって反射型の第２表示素子を上面側から照明することができ、これにより第１表示素子に表示された情報を上方から見ることができると共に、第２表示素子に表示された情報をも第１表示素子を透して見ることができる。
【図面の簡単な説明】
【図１】この発明を腕時計に適用した第１実施形態を示した正面図。
【図２】図１のＡ−Ａ矢視における拡大断面図。
【図３】図１のＢ−Ｂ矢視における拡大断面図。
【図４】図２および図３の時計モジュールを拡大した正面図。
【図５】図４のＣ−Ｃ矢視における導光板の拡大断面図。
【図６】図２および図３の液晶表示素子を示した拡大断面図。
【図７】第１実施形態の第１変形例を示した時計モジュールの拡大正面図。
【図８】図７のＤ−Ｄ矢視における断面図。
【図９】図８の導光板を拡大した断面図。
【図１０】第１実施形態の第２変形例を示した時計モジュールの拡大正面図。
【図１１】図１０のＥ−Ｅ矢視における導光板の拡大断面図。
【図１２】第１実施形態の第３変形例を示した時計モジュールの拡大正面図。
【図１３】図１２のＦ−Ｆ矢視における導光板の拡大断面図。
【図１４】この発明を腕時計に適用した第２実施形態における時計モジュールの拡大正面図。
【図１５】図１４のＧ−Ｇ矢視における断面図。
【図１６】図１４のＧ−Ｇ矢視における導光板の拡大断面図。
【図１７】図１４のＨ−Ｈ矢視における導光板の下側照明部を示した拡大断面図。
【図１８】第１実施形態において輝線スペクトルの発生状態を示した図。
【図１９】この発明を腕時計に適用した第３実施形態における時計モジュールの拡大正面図。
【図２０】図１９のＩ−Ｉ矢視における断面図。
【図２１】図１９のＩ−Ｉ矢視における導光板の拡大断面図。
【図２２】図１９のＪ−Ｊ矢視における導光板の下側照明部を示した拡大断面図。
【図２３】この発明を腕時計に適用した第４実施形態における時計モジュールの拡大正面図。
【図２４】図２３のＫ−Ｋ矢視における断面図。
【図２５】図２３のＬ−Ｌ矢視における導光板の下側照明部を示した拡大断面図。
【図２６】この発明を腕時計に適用した第５実施形態における時計モジュールの拡大正面図。
【図２７】図２６のＭ−Ｍ矢視における断面図。
【図２８】図２６のＭ−Ｍ矢視における導光板の拡大断面図。
【図２９】第５実施形態における第４変形例を示した時計モジュールの拡大断面図。
【図３０】この発明を腕時計に適用した第６実施形態における時計モジュールの拡大正面図。
【図３１】図３０のＮ−Ｎ矢視における断面図。
【図３２】図３０のＮ−Ｎ矢視における導光板の拡大断面図。
【図３３】この発明を腕時計に適用した第７実施形態における時計モジュールの拡大正面図。
【図３４】図３３のＰ−Ｐ矢視における断面図。
【図３５】図３３のＰ−Ｐ矢視における導光板の拡大断面図。
【図３６】図３４の第１液晶表示素子を示した拡大断面図。
【図３７】この発明を携帯電話機に適用した第８実施形態を示した拡大正面図。
【図３８】図３７の一部を破断して示した拡大側面図。
【符号の説明】
１  腕時計ケース
２  時計ガラス
３  時計モジュール
６  照明装置
９  アナログムーブメント
１０  液晶表示素子
１３、６０  文字板
１３ｂ  時字
１５  指針
２３  発光素子
２４  導光板
２５  反射板
２６  上側照明部
２７、３５、４０、５３、６１  下側照明部
２８  凹凸部
２９、３１、３２、３６、５４、６７、６８  プリズム
29a、31a、32a、36a、43a、45a、54a、67a、68a  反射面
３０、３７  側面反射部
４１、６５  第１照明領域
４２、６６  第２照明領域
４３  第１プリズム
４４  第１側面反射部
４５  第２プリズム
４６  第２側面反射部
５０、６２  第１発光素子
５１、６３  第２発光素子
５５  発光部
６９  装飾部
７５  ソーラーパネル
７６  開口部
８０  第１液晶表示素子
８１  第２液晶表示素子
９０  機器ケース
９１  保護ガラス
９４  モジュール
【図１】
2004199874.tif 000003
【図２】
2004199874.tif 000004
【図３】
2004199874.tif 000005
【図４】
2004199874.tif 000006
【図５】
2004199874.tif 000007
【図６】
2004199874.tif 000008
【図７】
2004199874.tif 000009
【図８】
2004199874.tif 000010
【図９】
2004199874.tif 000011
【図１０】
2004199874.tif 000012
【図１１】
2004199874.tif 000013
【図１２】
2004199874.tif 000014
【図１３】
2004199874.tif 000015
【図１４】
2004199874.tif 000016
【図１５】
2004199874.tif 000017
【図１６】
2004199874.tif 000018
【図１７】
2004199874.tif 000019
【図１８】
2004199874.tif 000020
【図１９】
2004199874.tif 000021
【図２０】
2004199874.tif 000022
【図２１】
2004199874.tif 000023
【図２２】
2004199874.tif 000024
【図２３】
2004199874.tif 000025
【図２４】
2004199874.tif 000026
【図２５】
2004199874.tif 000027
【図２６】
2004199874.tif 000028
【図２７】
2004199874.tif 000029
【図２８】
2004199874.tif 000030
【図２９】
2004199874.tif 000031
【図３０】
2004199874.tif 000032
【図３１】
2004199874.tif 000033
【図３２】
2004199874.tif 000034
【図３３】
2004199874.tif 000035
【図３４】
2004199874.tif 000036
【図３５】
2004199874.tif 000037
【図３６】
2004199874.tif 000038
【図３７】
2004199874.tif 000039
【図３８】
2004199874.tif 000040